(57)【要約】  結露水の生成や凍結によって鏡面上に映し出される像が見え難くなることや見えなくなってしまうことを回避することができる防曇性道路反射鏡を提供する。鏡面体２と裏板３とを備え、前記鏡面体２の鏡面上に光触媒含有層２Ｇが形成され、該鏡面体２と前記裏板３との間に蓄熱材４を備え、前記裏板３が金属でなり、該裏板３に取付金具６を取り付けるための取付部７を備え、該取付部７は、該裏板３の所定箇所に該裏板３の厚み方向外方側に突出して形成され、該突出形成された取付部７の内側に形成される空間７Ｈ内に断熱材１２を入り込ませた。
2011083580.tif 000002
【特許請求の範囲】
【請求項１】
鏡面体と裏板とを備え、前記鏡面体の鏡面上に光触媒含有層が形成され、該鏡面体と前記裏板との間に蓄熱材を備えたことを特徴とする防曇性道路反射鏡。
【請求項２】
前記裏板が金属でなり、該裏板に取付金具を取り付けるための取付部を備え、該取付部は、該裏板の所定箇所に該裏板の厚み方向外方側に突出して形成され、該突出形成された取付部の内側に形成される空間内に断熱材を入り込ませたことを特徴とする請求項１に記載の防曇性道路反射鏡。
【請求項３】
前記断熱材が入り込んだ前記取付部を断熱材側から覆うためのカバー部材を備え、該カバー部材の断熱材側の面と前記取付部を除く裏板の断熱材側の面とが面一又はほぼ面一になるように該カバー部材を備えたことを特徴とする請求項２に記載の防曇性道路反射鏡。
【請求項４】
前記取付金具を前記裏板に螺子部材を介して取り付けたことを特徴とする請求項２又は３に記載の防曇性道路反射鏡。
【発明の詳細な説明】
【技術分野】
【０００１】
本発明は、例えば屋外において交差点などの見通しの悪い場所に設置される防曇性道路反射鏡に関する。
【背景技術】
【０００２】
防曇性道路反射鏡としては、鏡面体の鏡面上に光触媒含有層が形成されたものが既に提案されている。このように光触媒含有層を備えさせることによって、例えば、鏡面体の表面温度が気温よりも下がってしまい、鏡面上に結露水が発生した場合でも、鏡面上の光触媒含有層の働きによって、鏡面上の結露水が繋がって膜状になることで、鏡面上に映し出される像が見え難くなることがないようにしている。（例えば、特許文献１参照）。
【先行技術文献】
【特許文献】
【０００３】
【特許文献１】日本国特許第３６３４６３０号公報（図２参照）
【発明の概要】
【発明が解決しようとする課題】
【０００４】
上記特許文献１の防曇性道路反射鏡であっても、次のような状況では不都合が発生してしまうことがあった。つまり、鏡面体の表面温度が０℃以下（氷点下）になった場合には、前記のように膜状になった結露水が凍ってしまうため、鏡面上に映し出される像が見え難くなる、又は見えなくなってしまう不都合が発生する。【０００５】
本発明が前述の状況に鑑み、解決しようとするところは、結露水の生成や凍結によって鏡面上に映し出される像が見え難くなることや見えなくなってしまうことを回避することができる防曇性道路反射鏡を提供することを課題とする。
【課題を解決するための手段】
【０００６】
本発明の防曇性道路反射鏡は、前述の課題解決のために、鏡面体と裏板とを備え、前記鏡面体の鏡面上に光触媒含有層が形成され、該鏡面体と前記裏板との間に蓄熱材を備えたことを特徴としている。【０００７】
上記のように鏡面体の鏡面上に光触媒含有層が形成されているから、鏡面上に結露水が発生しても、光触媒含有層の働きにより鏡面が親水化され、鏡面に生じた結露水が微細な水粒とならず、互いに繋がって膜状にされるので、鏡面上に映し出される像が見え難くなることがない。また、蓄熱材が放熱することで、鏡面温度が０℃以下（氷点下）となりにくくなり、鏡面に雨水などが付着している場合でも鏡面の凍結が抑制され、鏡面上に映し出される像が見え難くなる、又は見えなくなる状況を抑制することができる。また、雪が降った場合なども、蓄熱材からの放熱により鏡面上に付着した雪を溶かして視認性を保つという効果も期待できる。
前記のように蓄熱材を備えることで、鏡面上の結露水の生成が抑制されるが、気温や湿度、日照状況などの変化によって、蓄熱材を備えていても鏡面に結露水が生じる場合がある。また、前記のような蓄熱材は、放熱した後の蓄熱の段階で、鏡面から吸熱して熱を蓄えるのであるが、鏡面を冷却するように作用して鏡面に結露水生成を促す場合がある。これは夜明け直後などに起こりやすい現象である。上記のような要因により結露水が生じても、鏡面の光触媒含有層が前記の親水化作用を奏することにより、鏡面の視認性を良好に保つことができる。【０００８】
また、本発明の防曇性道路反射鏡は、前記裏板が金属でなり、該裏板に取付金具を取り付けるための取付部を備え、該取付部は、該裏板の所定箇所に該裏板の厚み方向外方側に突出して形成され、該突出形成された取付部の内側に形成される空間内に断熱材を入り込ませてもよい。【０００９】
上記構成にしておけば、突出形成された取付部を備えさせることにより、特に取付部での強度が必要となる部分の強度アップを図ることで、裏板の全域に渡って同一の板厚にしながらも、裏板の全域に渡って裏板の強度を均一にすることができる。しかも、裏板から金属製の取付部を通して蓄熱材からの熱が外部に放出されることを、取付部の内側に形成される空間内に配置された断熱材により確実に阻止することができる。【００１０】
また、本発明の防曇性道路反射鏡は、前記断熱材が入り込んだ前記取付部を断熱材側から覆うためのカバー部材を備え、該カバー部材の断熱材側の面と前記取付部を除く裏板の断熱材側の面とが面一又はほぼ面一になるように該カバー部材を備えていてもよい。【００１１】
上記のようにカバー部材を該カバー部材の断熱材側の面と前記取付部を除く裏板の断熱材側の面とが面一又はほぼ面一になるように備えている場合には、蓄熱材を押圧する裏板の断熱材側の面のうちのどの箇所においても、蓄熱材を押圧する押圧力を均一に保ち易い利点がある。【００１２】
また、本発明の防曇性道路反射鏡は、前記取付金具を前記裏板に螺子部材を介して取り付けてもよい。【００１３】
上記のように金具を裏板に螺子部材を介して取り付けている場合には、特に螺子部材を介して蓄熱材からの放熱が促進されることを前記断熱材により有効に阻止することができる。
【発明の効果】
【００１４】
鏡面体の鏡面上に光触媒含有層が形成され、鏡面体と裏板との間に蓄熱材を備えることにより、結露水の生成や凍結によって鏡面上に映し出される像が見え難くなることや見えなくなってしまうことを回避することができる防曇性道路反射鏡を提供することができる。
【図面の簡単な説明】
【００１５】
【図１】防曇性道路反射鏡の正面図である。
【図２】図１におけるＡ−Ａ線断面図である。
【図３】図１におけるＢ−Ｂ線断面図である。
【図４】防曇性道路反射鏡の別の形態を示す縦断側面図である。
【発明を実施するための形態】
【００１６】
図１〜図３に、本発明の防曇性道路反射鏡（以下において反射鏡という）１を示している。この反射鏡１は、例えば道路の交差点や曲がり角付近に支柱Ｐの上端部に取り付けて使用する。
【００１７】
前記反射鏡１は、図１の正面視において円形で、かつ、図２において中心Ｃほど前方に突出するように湾曲した円弧形状に構成された鏡面体２と、この鏡面体２がリベットを介して固定される円形の裏板３とを備えている。
【００１８】
前記鏡面体２は、表面に鏡面加工を施して鏡面が形成された本体２Ａと、該本体２Ａの外周部分に後方側に９０度（角度は限定されない）折り曲げた折曲部２Ｂとを備えている。尚、鏡面体２の形状は、円形に限らず、角形であってもよい。また、その円形の鏡面体２の大きさは、円形の場合には、直径が６００ｍｍ、８００ｍｍ、１０００ｍｍなどがあるが、これら寸法以外であってもよい。また、角形の場合には、４５０ｍｍ×６００ｍｍ、６００ｍｍ×８００ｍｍなどがあるが、これら寸法以外であってもよい。また、鏡面体２の鏡面の曲率半径は、１５００ｍｍ、２２００ｍｍ、３０００ｍｍ、３６００ｍｍなどの凸面鏡の他、他の曲率半径の凸面鏡であってもよい。
【００１９】
前記本体２Ａを構成する材料としては、ステンレスなどの金属又はアクリルやポリカーボネイトなどの合成樹脂あるいはガラスなど、どのような材料であってもよいが、熱伝導が良好でかつ防錆効果に優れた材料が好ましく、ステンレスを好適に使用できる。前記本体２Ａがステンレスの場合には、表面研磨を行うことによって、表面に鏡面を形成することができ、また本体２Ａが合成樹脂やガラスなどの場合には、本体２Ａの表面に鏡面体を積層することにより形成してもよく、鏡面体の形成は特に限定されない。
【００２０】
図２に示すように、前記鏡面体２に形成された鏡面上には光触媒含有層２Ｇが所定の厚みで形成されており、気温よりも鏡面体２の表面温度が下がり、鏡面上に結露水が発生しても、光触媒含有層２Ｇの働きにより結露水が繋がって膜状となることで、鏡面上に映し出される像が見え難くなることがないようにしている。
【００２１】
前記光触媒含有層２Ｇは、その層厚が３０〜２０００ｎｍの範囲とされ、好ましくは５０〜１０００ｎｍの範囲である。また、光触媒含有層２Ｇは、一般に二酸化チタンを含有したチタニア層である。このチタニア層を形成するには、チタニア膜形成用塗料組成物を鏡面にスプレーコート、ディップコート、スピンコート、フローコート、ロールコート等の適宜方法で塗布し、チタニア層に転化すればよいが、その他の形成方法であってもよい。このようなチタニア層は、波長領域が３００ｎｍから４００ｎｍ付近の紫外線を二酸化チタンに照射することによって、二酸化チタンが活性化される。尚、光触媒含有層２Ｇと鏡面との間にシリコーン系の被膜を形成することによって、光触媒含有層２Ｇによる触媒活性の耐久性の向上を図るようにしてもよい。
【００２２】
また、鏡面体２と裏板３との間に蓄熱材４を備えて、鏡面温度が０℃以下（氷点下）になっても、太陽の光を受けて熱を蓄熱した蓄熱材４がその熱を放熱することによって、気温よりも鏡面温度が低くなることがなく、鏡面に結露水が発生することを防止している。また、鏡面に雨水などが付着している場合でも、太陽の光を受けて熱を蓄熱した蓄熱材４がその熱を放熱することによって、鏡面の凍結を抑制することができる。従って、鏡面上で凍る結露水の生成を抑制する、又は鏡面の凍結を抑制することができるから、鏡面上に映し出される像が見え難くなることや見えないことを確実に回避することができる。
【００２３】
前記蓄熱材４は、合成樹脂でなる横長状のプラスチック袋内に水が封入された多数（図では１２個）の蓄熱体４Ａを上下方向に配置して構成される。各蓄熱体４Ａは、鏡面体２の横幅にほぼ合致する寸法に構成され、鏡面体２のほぼ全域に配置されている。尚、前記プラスチック袋内の水の腐敗を防止するため、水を一度に煮沸して冷まし、その冷ました水に適量のヨードチンキを加えて使用してもよい。また、水にプロピレングリコールを所定の割合で加えた水溶液に、粉寒天を所定量加えてゲル化したものを使用することもできるが、蓄熱材４としてはどのような構成のものであってもよく、蓄熱性の高い金属などを蓄熱材４として用いてもよい。本実施形態における前記蓄熱材４は、一個ずつの蓄熱体４Ａを配置したものであるが、複数個の蓄熱体４Ａを上下方向で連結した一体型を配置してもよい。また、前記蓄熱材４を鏡面体２の横幅にほぼ合致する寸法に構成された横長状の袋から構成したが、正方形状の袋を上下方向及び左右方向に配置したものであってもよいし、場合によっては縦長状の袋から構成してもよい。
【００２４】
前記蓄熱材４と鏡面体２との間に、蓄熱材４から鏡面体２側への熱の放出を抑えることで蓄熱材４からの放熱時間を長くするための熱伝達緩和材（保温材）５を配置している。この熱伝達緩和材５は、エアマットや発泡材など、蓄熱材４からの放熱時間を長くできるものであれば、どのような構成のものであってもよい。尚、図２では熱伝達緩和材５と鏡面体２との間に隙間（空気層）がなく、両者が接触している状態になっているが、隙間のある状態、つまり熱伝達緩和材５と鏡面体２との間に空気層が存在している状態であってもよい。
【００２５】
前記裏板３は、ステンレス板又は溶融亜鉛メッキ鋼板などでなり、裏板３の所定箇所、具体的には裏板３の中心部に取付金具６を取り付けるための取付部７を備えている。前記取付部７は、裏板３の厚み方向外方側に円錐状に突出してあり、特に取付部での強度が必要となる部分の強度アップを図ることで、裏板３の全域に渡って同一の板厚にしながらも、裏板３の全域に渡って裏板３の強度を均一にすることができる。前記取付金具６は、取付部７の外面（背面）に接触するとともに後述するボルト１０，１０により取付部７に固定される円板部６Ａと、この円板部６Ａの背面に溶接されるとともに後方に延びて支柱Ｐの取付片Ｐ１に連結される左右一対の連結部６Ｂ，６Ｂとを備えている。ここでいう取付金具６は、支柱Ｐを取り付けるための取付金具としているが、支柱Ｐ以外のものであってもよい。尚、前記裏板３の外周部分にも、前記鏡面体２と同様に後方側に９０度（角度は限定されない）折り曲げた折曲部を備えている。従って、裏板３の折曲部に鏡面体２の折曲部２Ｂを重ね合わせて前述したリベットを介して固定されるようになっている。
【００２６】
前記突出形成した取付部７の内部に形成された空間７Ｈ内に断熱材８を入り込ませている。前記断熱材８は、軟質ウレタンフォーム、ポリエチレンフォーム、ゴムスポンジなどからなる発泡クッションから構成される。前記取付金具６は、取付部７に貫通する金属製の螺子部材である複数のボルト１０，１０により取付部７に固定されている。具体的には、取付部７の内面にリベットを介して固定されている金具１３に螺子孔を形成し、取付金具６、取付部７の順に貫通させたボルト１０，１０の先端を金具１３の螺子孔に螺合することにより、取付金具６を取付部７に固定している。この固定構造の場合、反射鏡１内の熱がボルト１０，１０に連結されている外部の取付金具６を通して排出し易い構成になるが、前記のように空間７Ｈ内に入り込んだ断熱材８によりボルト１０，１０を介して反射鏡１内の熱が外部の取付金具６に伝達されて外部に放出されることを抑えることができるようになっている。
【００２７】
また、前記断熱材８が入り込んだ前記取付部７の内側開口部７Ｋを断熱材側から覆うための木製で円板状の仕切部材としてのカバー部材１１を備えている。このカバー部材１１を備えることにより、図３に示すように、該カバー部材１１の断熱材側の面１１Ａと前記取付部７を除く裏板３の断熱材側の面３Ａとが面一（又はほぼ面一でもよい）になるようにしている。従って、蓄熱材８を押圧する裏板３の断熱材側の面のうちのどの箇所においても、蓄熱材８を押圧する押圧力を均一に保ち易い。
【００２８】
尚、本発明は、前記実施形態に限定されるものではなく、本発明の要旨を逸脱しない範囲で種々の変更が可能である。
【００２９】
例えば、図４に示すように、前記蓄熱材４と前記裏板３との間に、発泡シートなどからなる断熱材１２を更に備えてもよい。このように構成することによって、裏板３側から外部に熱が放出されることをより良好に防止することができる。図４の他の部分は、図２と同一であるため、同一の符号を付すとともに説明を省略する。
【００３０】
前記実施形態では、取付部７を裏板３の中心に位置させたが、中心以外の箇所に位置させてもよい。また、取付部７の形状及び大きさは自由に変更できる。
【００３１】
また、前記実施形態では、支柱Ｐに反射鏡１を取り付ける場合を示したが、支柱以外の構造物に取り付けてもよい。
【００３２】
また、前記実施形態では、裏板３がそれの中心に外部に突出した取付部７を備えさせた構成としたが、外部に突出した取付部７の無い裏板３であってもよい。尚、取付部７の無い裏板３の場合には、カバー部材１１も省略できる。
【符号の説明】
【００３３】
１…反射鏡、２…鏡面体、２Ａ…本体、２Ｂ…折曲部、２Ｇ…光触媒含有層、３…裏板、３Ａ…面、４…蓄熱材、４Ａ…蓄熱体、５…熱伝達緩和材、６…取付金具、６Ａ…円板部、６Ｂ…連結部、７…取付部、７Ｈ…空間、７Ｋ…内側開口部、８…断熱材、１０…ボルト、１１…カバー部材、１１Ａ…面、１２…断熱材、Ｐ…支柱、Ｐ１…取付片
【図１】
2011083580.tif 000003
【図２】
2011083580.tif 000004
【図３】
2011083580.tif 000005
【図４】
2011083580.tif 000006
【国際調査報告】
2011083580.tif 000007
2011083580.tif 000008
2011083580.tif 000009